(57)【要約】【課題】  筐体に放熱口を設けることなく第１及び第２の光源の発光に伴い生じる熱を放熱することを可能にした照明装置を提供する。【解決手段】  第１の光源と、前記第１の光源で発せられた光を透過させる第１の光学部材と、前記第１の光源で発せられた光を透過させる、前記第１の光源と前記第１の光学部材との間に配置された第２の光学部材と、前記第２の光学部材よりも前記第１の光源側であって前記第１の光源を含む内部空間である第１の空間から吸い込んだ空気を、前記第１の光学部材と前記第２の光学部材との間の空間である第２の空間へ送る送風機構と、前記第１の光源とは異なる第２の光源と、を有し、前記送風機構の流路を構成する部材は、前記第２の光源と熱的に接続されていることを特徴とする。【選択図】  図６
2020187329.tif 000002
【特許請求の範囲】
【請求項１】
第１の光源と、
前記第１の光源で発せられた光を透過させる第１の光学部材と、
前記第１の光源で発せられた光を透過させる、前記第１の光源と前記第１の光学部材との間に配置された第２の光学部材と、
前記第２の光学部材よりも前記第１の光源側であって前記第１の光源を含む内部空間である第１の空間から吸い込んだ空気を、前記第１の光学部材と前記第２の光学部材との間の空間である第２の空間へ送る送風機構と、
前記第１の光源とは異なる第２の光源と、を有し、
前記送風機構の流路を構成する部材は、前記第２の光源と熱的に接続されていることを特徴とする照明装置。
【請求項２】
前記流路を構成する部材は、前記流路の内部に前記送風機構の送風方向と平行な方向に延びる冷却フィンが設けられていることを特徴とする請求項１に記載の照明装置。
【請求項３】
前記流路を構成する部材は、前記流路の外部に前記第２の光源を固定する固定部が設けられていることを特徴とする請求項１または２に記載の照明装置。
【請求項４】
前記第２の光源は、ＬＥＤであることを特徴とする請求項１ないし３のいずれか１項に記載の照明装置。
【請求項５】
前記第１の光学部材は、前記第１の光源で発せられた光の配光を変化させる光学レンズであることを特徴とする請求項１ないし４のいずれか１項に記載の照明装置。
【請求項６】
前記第２の光学部材は、前記第１の光源の照射光軸方向において、前記第１の光学部材と所定の幅を開けて配置されていることを特徴とする請求項１ないし５のいずれか１項に記載の照明装置。
【請求項７】
前記第１の光源と前記第１の光学部材との前記第１の光源の照射光軸方向における相対位置を変化させる駆動機構を有し、
前記駆動機構によって前記第１の光源と前記第１の光学部材との前記照射光軸方向における相対位置を変化させても、前記第１の光学部材と前記第２の光学部材との前記照射光軸方向における相対位置は変化しないことを特徴とする請求項１ないし６のいずれか１項に記載の照明装置。
【請求項８】
前記送風機構によって前記第２の空間に送られた空気は、前記第１の光源の長手方向と直交する方向に流れることを特徴とする請求項１ないし７のいずれか１項に記載の照明装置。
【請求項９】
前記送風機構の送風口の長手方向は、前記第１の光源の長手方向と同方向となるように配置されることを特徴とする請求項１ないし５のいずれか１項に記載の照明装置。
【請求項１０】
前記照明装置は、
撮像装置に着脱可能な制御部と、
前記制御部に対して回動可能な発光部と、を有し、
前記第１の光源及び前記第２の光源は、前記発光部に設けられていることを特徴とする請求項１ないし９のいずれか１項に記載の照明装置。
【発明の詳細な説明】
【技術分野】
【０００１】
本発明は、照明装置の放熱構造に関するものである。
【背景技術】
【０００２】
近年、動画撮影用のビデオライト、照明効果確認用のモデリングライト、撮像装置の焦点調節用のフォーカシングライトなどに用いる、連続点灯可能なＬＥＤを搭載するストロボ装置（照明装置）が増えてきている。このようなストロボ装置において、ビデオライト、モデリングライト、フォーカシングライトのいずれの用途でも高輝度、大光量のＬＥＤが必要となり、ＬＥＤ発光時に発生する熱をどのように処理するかが重要な課題となっている。
【０００３】
例えば、特許文献１では、発光部で生じた熱を放熱部材に伝達後、筐体によって形成される経路を通して外部に放出される照明装置が開示されている。
【先行技術文献】
【特許文献】
【０００４】
【特許文献１】特開２０１５−０２８５２４号公報
【発明の概要】
【発明が解決しようとする課題】
【０００５】
しかしながら、特許文献１に開示された技術では、ＬＥＤからの熱が筐体によって形成される経路を通して外部に放出される一方、その経路から水や異物が筐体内に侵入するおそれがある。
【０００６】
そこで、本発明は、筐体に放熱口を設けることなく第１及び第２の光源の発光に伴い生じる熱を放熱することを可能にした照明装置を提供することを目的とする。
【課題を解決するための手段】
【０００７】
上記目的を達成するために、本発明に係る照明装置は、第１の光源と、前記第１の光源で発せられた光を透過させる第１の光学部材と、前記第１の光源で発せられた光を透過させる、前記第１の光源と前記第１の光学部材との間に配置された第２の光学部材と、前記第２の光学部材よりも前記第１の光源側であって前記第１の光源を含む内部空間である第１の空間から吸い込んだ空気を、前記第１の光学部材と前記第２の光学部材との間の空間である第２の空間へ送る送風機構と、前記第１の光源とは異なる第２の光源と、を有し、前記送風機構の流路を構成する部材は、前記第２の光源と熱的に接続されていることを特徴とする。
【発明の効果】
【０００８】
本発明によれば、筐体に放熱口を設けることなく第１及び第２の光源の発光に伴い生じる熱を放熱することを可能にした照明装置を提供することができる。
【図面の簡単な説明】
【０００９】
【図１】本発明の実施形態に係るストロボ装置１００の外観斜視図である。
【図２】本発明の実施形態に係る制御部１００ｂの内部を示す分解斜視図である。
【図３】本発明の実施形態に係るストロボ装置１００の縦断面図である。
【図４】本発明の実施形態に係る発光部１００ａの内部を示す分解斜視図である。
【図５】本発明の実施形態に係るブロワーファン１５５、ＬＥＤライトユニット１６５の構成を示す斜視図である。
【図６】本発明の実施形態に係る発光部１００ａの主な空気の流れを示した断面図である。
【発明を実施するための形態】
【００１０】
以下に、本発明の好ましい実施の形態を、添付の図面に基づいて詳細に説明する。各図において、同一の部材については同一の参照番号を付し、重複する説明は省略する。
【００１１】
まず、図１を参照して、本発明の実施形態に係る照明装置であるストロボ装置１００について説明する。図１は、本実施形態に係るストロボ装置１００の外観斜視図であり、図１（ａ）はストロボ装置１００をアクリルパネル１０１が配置されている正面側から見た図、図１（ｂ）はストロボ装置１００背面側（操作部側）から見た状態をそれぞれ示している。
【００１２】
ストロボ装置１００は、大きく分けて発光部１００ａ（第１の筐体）と制御部１００ｂ（第２の筐体）とから構成されている。発光部１００ａは、被写体を照明する放電管１０２（第１の光源）と、放電管１０２よりも継続点灯が可能なＬＥＤ素子１６１（第２の光源）を備えている。さらに、発光部１００ａは、制御部１００ｂに対する旋回動作によりアクリルパネル１０１及びＬＥＤ窓１６４からの照射光の照射方向を変化させるバウンス機能を有する。なお、旋回動作は、ユーザが発光部１００ａを把持して手動で行うようにしてもよいし、不図示のモータにより自動で行うようにしてもよい。なお、本実施形態では、発光部１００ａと制御部１００ｂとが並ぶ方向をストロボ装置１００の上下方向とし、発光部１００ａ側を上側とする。そして、図１に示すような、制御部１００ｂに対する発光部１００ａの回動角度が０度である基準状態における上下方向を発光部１００ａの上下方向とする。
【００１３】
また、発光部１００ａは、主にアッパーカバー１０３（第１のカバー）とロアーカバー１０４（第２のカバー）と円筒形状を成したバウンスケース１０５とを備えて構成されている。さらに、アッパーカバー１０３には発光時の配光を広げるワイドパネル１０８を収納するワイドパネルカバー１０６を備える。ワイドパネル１０８は、アクリルパネル１０１からの照射光をより広角に広げる光拡散性を有する光学部材である。使用時にワイドパネルカバー１０６から引き出され、アクリルパネル１０１の前面に覆いかぶさるように配置される。なお、補助光学部材として、照射光の照射方向を上方（Ｙ方向）に向けた時に照射光を反射させて被写体にキャッチライト効果を与えるキャッチライトシートをワイドパネル１０８の代わりに配置した構成でもよい。あるいは、ワイドパネル１０８とキャッチライトシートを共に配置した構成でもよい。また、アッパーカバー１０３とロアーカバー１０４の合わせ部にはサイドラバー１０７があり、発光部１００ａをユーザが手動で旋回動作させる際のすべり止めになっている。
【００１４】
アッパーカバー１０３およびロアーカバー１０４は、バウンスケース１０５に対して相対的に上下方向（ＺＹ面内方向）における旋回動作が可能である。バウンスケース１０５は、制御部１００ｂに対して相対的に水平方向（ＸＺ面内方向）における旋回動作が可能である。このように、発光部１００ａは、制御部１００ｂに対して相対的に回動可能であり、放電管１０２およびＬＥＤ素子１６１からの光の照射方向を変化させることができる。また、制御部１００ｂは、発光部１００ａを支持して発光部１００ａの動作を制御する。
【００１５】
外装部材であるリアカバー１０９は、制御部１００ｂの背面側に設けられている。リアカバー１０９には、表示部１１０、電源スイッチ１１１、操作ボタン１１２、ダイヤル１１３等の操作部が配置され、各種の機能設定を行うことができる。電池蓋１１４は、制御部１００ｂの内部に電源用の電池１２５を装填するための開閉可能な蓋である。下面側の外装部材であるボトムカバー１１５には、不図示の撮像装置であるカメラのアクセサリシューに着脱可能に装着するための接続部である脚部１１６が備えられ、脚部１１６を囲うように防滴カバー１１７が装着されている。脚部１１６はロックレバー１１８を回動させることにより不図示のカメラのアクセサリシューに対して固定することができる。フロントカバー１１９は、制御部１００ｂの正面側の外装部材である。フロントカバー１１９の中央部には、その前方に突出したバルジ部１１９ａ（膨らみ部）が設けられている。バルジ部１１９ａの下半分には、光パルス通信用受光窓１２０及び、低輝度時にカメラの焦点検調節を補助するＡＦ補助光照射窓１２１が配置されている。光パルス通信用受光窓１２０の一部には外部調光用受光センサ１２２が備えられ、不図示のカメラによる調光以外にもストロボ装置１００単体での調光が可能になっている。制御部１００ｂの電池蓋１１４と反対側には各種の端子カバー１２３が備えられており、内部には外部電源端子、ブラケット固定ネジ、シンクロ端子等が備えられている。また、各外装部材の合わせ部には不図示の防滴パッキンが備えられており、端子カバー１２３及び防滴カバー１１７と合わせ防塵防滴性能を有している。
【００１６】
以上のように、本実施形態では、制御部１００ｂのバルジ部１１９ａが設けられている側を正面側（前面側）、表示部１１０や各種操作部が設けられている側を背面側（後面側）とし、制御部１００ｂの脚部１１６が設けられている側を下面側としている。そして、図１に示したＸ方向は、制御部１００ｂの左右方向、Ｙ方向は制御部１００ｂの上下方向、Ｚ方向は制御部１００ｂの前後方向に対応している。なお、以下では特に説明がない限り、ストロボ装置１００の左右方向、上下方向、前後方向は、制御部１００ｂの左右方向、上下方向、前後方向と等しいものとする。
【００１７】
次に図２、図３及び図４を参照して、制御部１００ｂの内部構成、発光部１００ａ及びバウンスケース１０５の内部構成について説明する。図２は、制御部１００ｂからフロントカバー１１９およびボトムカバー１１５を取り外して正面側から見た制御部１００ｂの内部を示す分解斜視図である。図３は、ストロボ装置１００の左右方向に直交する断面を示す断面図である。
【００１８】
制御部１００ｂの内部中央には、後述するメイン基板１２８とサブ基板１２９との間にバッテリーケース１２４が設けられている。バッテリーケース１２４の電池収納部１２４ａには、電源用の電池１２５（本実施形態では、四本の単三型電池）が略四角形状の配置で収納されているが、充放電可能なリチウムイオン二次電池でもよい。電池収納部１２４ａの上方には、発光部１００ａから突出するバウンスケース下面の左右回動用（ＸＺ平面内回動用）の軸部１０５ａとの間において、所定の空間領域１２６が設けられている。空間領域１２６は、ワイヤーハーネス１２７を弛緩させた状態で収納するために設けられている。ワイヤーハーネス１２７は、後述のメイン基板１２８、および、サブ基板１２９に接続される。このとき、ワイヤーハーネス１２７がその長さに余裕を持たずに緊張状態を有して接続された場合、発光部１００ａの左右旋回動作により捩じり力を受け、断線する可能性がある。このため、ワイヤーハーネス１２７を空間領域１２６内にて左右旋回動作の影響を受けないように十分な弛みを持たせて収納する。
【００１９】
バッテリーケース１２４の背面側、すなわちリアカバー１０９側には、デジタル系の回路を備えたメイン基板１２８が配置されており、メイン基板１２８にはＣＰＵ１３０が実装されている。またメイン基板１２８には、リアカバー１０９の上に配置された電源スイッチ１１１等の各種の操作部材に対応したスイッチ素子類も実装される。表示部１１０の内側には、ＬＣＤ１３１（液晶ディスプレイ）が配置される。バッテリーケース１２４の正面側および下面側には、それぞれ、昇圧トランス１３２を備えた昇圧回路基板１３３や不図示のＦＥＴ（電界効果トランジスタ）を備えた発光制御回路を有するサブ基板１２９が取り付けられている。
【００２０】
バッテリーケース１２４の正面側には、台座１３４及びサブ基板１２９が重なるように取り付けられている。台座１３４の正面側には、台座１３４に一体形成された複数の係止爪１３４ａによって、無線モジュール１３５が取り付けられている。無線モジュール１３５の上端側には、無線通信用のアンテナ１３５ａ（チップアンテナ）が実装されている。また無線モジュール１３５の下端側のコネクタ（不図示）には、メイン基板１２８と繋がるフレキシブル基板（不図示）が接続されている。また、フロントカバー１１９の下部に設けられた光パルス通信用受光窓１２０の対向する位置に光パルス受光センサ１３６が配置されている。さらに、ＡＦ補助光照射窓１２１はプリズム１３７を挟んで対向する位置にＡＦ補助光ユニット１３８が配置され、ＡＦ補助光ユニット１３８から射出される単一のパターンをプリズム１３７によって複数に光線分割して投影する。（本実施形態では、３基のＡＦ補助光ユニット１３８を搭載している。）なお、ＬＥＤ素子１６１をフォーカシングライトとして使用可能であれば、ＡＦ補助光ユニット１３８を備えていなくてもよい。
【００２１】
フード１４２の背面（バウンスケース１０５側）には、放電管１０２と接続されたヘッド基板１４８が取り付けられている。ヘッド基板１４８に接続された不図示の配線類は、バウンスケース１０５の円筒中心を回転中心とするアッパーカバー１０３とバウンスケース１０５間の回転部１４９を通って、コンデンサ収納部１０５ｂに導かれる。これらの配線類は、コンデンサ１４７に接続される配線とともにワイヤーハーネス１２７を構成する。ワイヤーハーネス１２７は、軸部１０５ａの中央に形成された穴部１０５ｃから発光部１００ａの外側に引き出される。ワイヤーハーネス１２７の先端には、不図示のコネクタが取り付けられている。このコネクタは、発光部１００ａの内部に設けられたヘッド基板１４８の回路と制御部１００ｂの内部に設けられたメイン基板１２８及びサブ基板１２９とを電気的に接続する。このようにワイヤーハーネス１２７は、発光部１００ａに設けられた放電管１０２やコンデンサ１４７等の電子部品と、制御部１００ｂに設けられた各制御基板とを電気的に接続する。また、バウンスケース１０５の軸部１０５ａの先端には、回転板１５０が取り付けられており、発光部１００ａの左右旋回を所定の角度で規制する役割を有する。また、回転板１５０は、制御部１００ｂからの発光部１００ａの抜け止めの役割を有する。
【００２２】
円筒形状を有するバウンスケース１０５の内部のコンデンサ収納部１０５ｂにはコンデンサ１４７（メインコンデンサ）が配置されている。すなわち、コンデンサ１４７は発光部１００ａを制御部１００ｂに対して相対的に上下方向（Ｙ方向）に回動させる際の回転軸上に配置されている。また、コンデンサ１４７は発光部１００ａと制御部１００ｂの連結部近傍に配置されている。コンデンサ１４７は放電管１０２を発光させるための電荷を蓄積する。この蓄積された電荷により、放電管１０２の発光に必要な高電圧が生成される。
【００２３】
放電管１０２は、トリガーコイル１５１からトリガー電圧が印加されることで放電を開始して発光する。トリガーコイル１５１はヘッド基板１４８に実装されており、不図示のトリガーケーブルで反射傘１４６に電気的に接続されている。トリガー電圧はトリガーコイル１５１から反射傘１４６を介して放電管１０２へ印加される。ヘッド基板１４８には発光回路を構成するトリガーコイル１５１やチョークコイル１５２等の発光に関する部品が実装されている。また、ヘッド基板１４８にはワイヤーハーネス１２７を接続するコネクタ１５３も実装されている。チョークコイル１５２はコンデンサ１４７と放電管１０２との間において、これらに電気的に接続され、コンデンサ１４７から放電管１０２に供給される電流を鈍らせる。これによりフラット発光時の発光制御を可能にすると共に、放電管１０２に作用する電気的負荷を軽減する。なお、発光回路には放電管１０２を発光させるための最低限の部品が実装されていればよく、上述した部品がすべて実装されている必要はない。
【００２４】
図４は、発光部１００ａからアッパーカバー１０３、ロアーカバー１０４、を取り外して発光部１００ａの内部を示す分解斜視図である。図４（ａ）は、発光部１００ａを上面側から見た図、図４（ｂ）は、発光部１００ａを下面側から見た図をそれぞれ示す。
【００２５】
本実施形態におけるストロボ装置１００は、放電管１０２の照射光軸方向における相対位置の変化により、アクリルパネル１０１の内部にある第１の光学部材であるフレネルレンズ１４０と放電管１０２の照射角を変化させる駆動機構を備えている。フレネルレンズ１４０は放電管１０２で発せられた光を屈折して透過させることで配光を変化させる光学レンズである。アクリルパネル１０１はフレネルレンズ１４０から射出された配光の調整や光の色温度の調整、外部からフレネルレンズ１４０への接触を保護する機能（衝撃及び熱的保護を含む）等を有している。本実施形態ではアクリルパネル１０１とフレネルレンズ１４０の二枚構成の光学系として説明しているが、アクリルパネル１０１の機能をフレネルレンズ１４０へ付加し、１枚構成の光学系としてもよい。発光部１００ａ内部の大部分は、駆動機構を構成する発光部ユニット１３９で占められている。発光部ユニット１３９の構造体であるフード１４２の上面には、アクチュエータとしてリードスクリュー１４３を備えたモーターユニット１４４が取り付けられている。反射傘ホルダー１４５には、放電管１０２及び、放電管１０２の光を前方へ反射させる反射傘１４６、放電管１０２からフレネルレンズ１４０へ伝わる熱を遮るフロントガラス１５４が取り付けられている。反射傘１４６は放電管１０２の上側から後側を通り下側までを覆い、放電管１０２から後方及び上下方向へ発せられた光をフレネルレンズ１４０に向けて反射する。反射傘ホルダー１４５は、リードスクリュー１４３の回転に連動してフレネルレンズ１４０と放電管１０２の相対距離を変化させる。これにより照射光の配光角が変化する。本実施形態では、フレネルレンズ１４０に対する放電管１０２及び反射傘１４６の距離を変化させて照射光の配光角を変化させる構成を有するストロボ装置を用いている。しかしながら、反射傘１４６の上下の反射面の距離を変化させることで、照射光の配光角を変化させる構成にしてもよい。フード１４２は、反射傘１４６で発光部ユニット１３９の照射方向へと反射されなかった光を発光部ユニット１３９の照射方向へと拡散反射する。そのため、フード１４２は、効率よく光を発光部ユニット１３９の照射方向へと反射できるように、発光部ユニット１３９の照射光の光軸に直交する平面における開口がフレネルレンズ１４０に近づくほど大きくなる形状になっている。以上のように、フード１４２は、一部に開口を有するように放電管１０２を囲み、放電管１０２から照射された光の一部を開口の方向へ反射する反射部材といえる。
【００２６】
第２の光学部材であるフレネル保護ガラス１４１は、放電管１０２で発せられた光を透過させ、放電管１０２とフレネルレンズ１４０の間でフレネルレンズ１４０に対して所定の空間を開けて配置されている。これにより、発光によって生じる放電管１０２の熱からフレネルレンズ１４０を保護すると共に、後述のブロワーファン１５５からの風を通す流路１５６を形成する。ところで、前述したフロントガラス１５４においても、放電管１０２からフレネルレンズ１４０へ伝わる熱を遮ることでフレネルレンズ１４０を保護するという点においてはフレネル保護ガラス１４１と同様の機能を持つ。しかしながら、フロントガラス１５４は、フロントガラス１５４と反射傘ホルダー１４５によって放電管１０２からの熱をその周囲に籠らせてしまうため、放電管１０２へ熱的負荷を与えやすくなってしまう。より放電管１０２を放熱させるためにはフロントガラス１５４はなくてもよい。
【００２７】
ブロワーファン１５５は、ロアーカバー１０４のファン収納部１０４ａに配置され、ロアーカバー１０４と熱的に接続される。また、不図示のワイヤーハーネスによってヘッド基板１４８と電気的に接続される。ブロワーファン１５５の駆動は、ヘッド基板１４８を介して制御部１００ｂのＣＰＵ１３０によってＰＷＭ信号により回転制御される。ブロワーファン１５５の吸気部１５５ａは発光部ユニット１３９側に面し、放電管１０２によって熱せられた空気を吸気する。その後ブロワーファン１５５からの排気を放電管１０２の光軸と略直行する方向に曲げるための流路構成部材１６０を介しフレネルレンズ１４０とフレネル保護ガラス１４１によって形成された流路１５６を通ることでフレネルレンズ１４０を冷却する。流路１５６を抜けた空気はモーターユニット１４４側へ曲げられて排出され、発光部ユニット１３９内部へ流れ込む。
【００２８】
すなわち、ブロワーファン１５５は、第２の光学部材よりも第１の光源側であって第１の光源を含む内部空間である第１の空間から吸い込んだ空気を、第１の光学部材と第２の光学部材との間の空間である第２の空間へ送る送風機構として機能する。
【００２９】
次に、図５を用いてＬＥＤライトユニット１６５の構成について説明する。図５はブロワーファン１５５及びＬＥＤライトユニット１６５の構成を示す斜視図である。ロアーカバー１０４のファン収納部１０４ａには、振動吸収等を目的として不図示の弾性部材を介してブロワーファン１５５が固定されている。ブロワーファン１５５はロアーカバー１０４に熱的に接続されている。ブロワーファン１５５の排気部１５５ｂには流路構成部材１６０が取り付けられている。流路構成部材１６０の流路の外部となる位置にＬＥＤ固定部１６０ａが設けられていて、流路構成部材１６０のＬＥＤ固定部１６０ａには、ＬＥＤ素子１６１が実装されたＬＥＤ基板１６２が不図示のネジにより固定もしくは弾性部材により接着されている。ＬＥＤ素子１６１の発光に伴い発生した熱は、ＬＥＤ固定部１６０ａを介して流路構成部材１６０に伝達される。接続部１６０ｂは、不図示の弾性部材を介してブロワーファン１５５と熱的に接続されている。流路構成部材１６０にはブロワーファン１５５からの排気を効率よくフレネルレンズ１４０の放電管１０２からの受熱部に当てるために立壁１６０ｃが設けられている。
【００３０】
ＬＥＤ基板１６２は、熱伝導性を高めるためにアルミニウム等の金属からなる基板である。ただし所望の熱伝導性が得られるのであればＬＥＤ基板１６２は金属以外の材料、あるいは金属とその他の材料との複合材料等からなるものでもよい。ＬＥＤ素子１６１の発光に伴い発生した熱はＬＥＤ基板１６２を介し流路構成部材１６０に伝えられる。流路構成部材１６０はアルミニウム等の金属もしくはその他の材料で成形されており、ＬＥＤ素子１６１からの熱を流路構成部材１６０全体に効率よく拡散される。拡散された熱は流路構成部材接続部１６０ｂからブロワーファン１５５に熱伝導し、不図示の弾性部材を介してロアーカバー１０４へ熱伝達する。ロアーカバー１０４は外気に接触しているため、伝えられた熱を外気へ放熱すことができる。また、流路構成部材１６０はブロワーファン１５５からの排気が通るため、ブロワーファン１５５により強制冷却される。よってＬＥＤ素子１６１が過度に温度上昇することを防ぐことができる。流路構成部材１６０の立壁１６０ｃはＬＥＤ素子１６１からの熱を強制冷却するために、ブロワーファン１５５からの排気が当たる表面積を増やすことにも寄与している。また両側の立壁１６０ｃの間（流路の内部）には、表面積を増やして冷却効果を高めるための、送風方向と平行な方向に延びる冷却フィン１６０ｄを設けてもよい。
【００３１】
ＬＥＤ素子１６１の前方にはＬＥＤ素子１６１から照射された光束の配光を制御するためのＬＥＤレンズ１６３が配置され、さらにその前方にはＬＥＤ窓１６４が配置されている。なお、このＬＥＤ窓１６４を用いることなくアクリルパネル１０１でＬＥＤレンズ１６３をカバーしてもよい。
【００３２】
次に、図６を用いて、本実施形態における発光部１００ａの冷却構造について説明する。図６は、発光部１００ａの主な空気の流れを示した断面図であり、図中の矢印は主な空気の流れる方向を示している。
【００３３】
前述のとおりブロワーファン１５５はロアーカバー１０４に熱的に接続されており、放電管１０２によって温められた空気を吸気した際にロアーカバー１０４へ熱伝達することで、吸気した空気を冷やす。ロアーカバー１０４は外気に接触しているため、伝えられた熱を外気へ放熱しながら、吸気した空気を効率的に冷やすことができる。ブロワーファン１５５は、不図示のワイヤーハーネスにより発光部１００ａ内のヘッド基板１４８とファン駆動基板１５５ｃが電気的に接続され、電源供給及び駆動制御信号により駆動する。ブロワーファン１５５は、ブレード１５５ｄが高速回転することにより、吸気部１５５ａから放電管１０２の発光によって熱せられた空気を吸気し、流速を上げて排気部（送風口）１５５ｂから送風する。なお、排気部１５５ｂの長手方向を放電管１０２の長手方向と同方向とすることで、フレネルレンズ１４０のなかの放電管１０２の影響で温度上昇しやすい領域に効率的に空気を送ることができる。
【００３４】
ブロアーファン１５５からの排気は流路構成部材１６０を通りフレネルレンズ１４０とフレネル保護ガラス１４１にて構成される流路１５６を通過する。流路１５６を通過する際、流速を維持した状態で通過させることにより、放電管１０２の発光に伴う熱により温度上昇したフレネルレンズ１４０を効果的に冷却できる。
【００３５】
なお、ブロワーファン１５５が放電管１０２の発光によって熱せられた空気を吸気しても、上述したようにロアーカバー１０４によって放熱することが可能である。また、放電管１０２の熱と光によって熱せられるフレネルレンズ１４０の方がブロワーファン１５５から送風される空気よりもはるかに温度が高くなっている。そのため、冷却に必要な温度差は十分に大きく、冷却可能である。また、ブロワーファン１５５から送風する空気の流れを流路構成部材１６０にて略直交方向に曲げることで、流路１５６を放電管１０２の長手方向と直交する方向に形成しつつ、発光部１００ａ全体の構成を小さくすることができる。
【００３６】
流路１５６から流出した空気は、アッパーカバー１０３に形成された流出口１０３ｅにより、上方向（Ｙ方向）から後方向（Ｚ方向）に滑らかに進行方向を変化させながら、流出路１０３ａへ流出する。流出路１０３ａに流出した空気は、フード１４２内を通過し、再度放電管１０２の熱を奪いながらブロワーファン１５５へ吸気される。
【００３７】
以降、上述したように空気を内部で循環させながら、放電管１０２、ＬＥＤ素子１６１及びフレネルレンズ１４０を冷却し、連続発光を行っても放電管１０２とフレネルレンズ１４０を保護することが可能である。さらに、ＬＥＤ素子１６１からの熱は流路構成部材１６０をヒートシンクとして使用することで、放電管１０２を冷却するブロワーファン１５５で同時に冷却することができる。よってＬＥＤ素子１６１冷却専用のヒートシンクを別に用いる必要が無いため、部品点数を削減することが可能となる。さらに、上述の構成では密閉空間内部で、空気を循環させる構成であることから、防塵防滴性能を有したままでも達成可能な構成となっている。なお、本実施形態ではブロワーファン１５５を用いて空気を内部で循環させる構成の例を説明したが、空気を内部で循環させる機構はその他のファンやポンプなどを用いてもよい。
【００３８】
以上のように、本実施形態によれば、ストロボ装置１００において、放電管１０２及びＬＥＤ素子１６１の発光による熱から放電管１０２、ＬＥＤ素子１６１とフレネルレンズ１４０を保護することを可能にすることができる。
【００３９】
なお、以上で説明した各実施形態はあくまで一例であって、代表的な例に過ぎず、本発明の実施に際しては、各実施形態に対して種々の変形や変更が可能である。例えば、放電管１０２やＬＥＤ素子１６１とは異なる光源をビデオライト、モデリングライト、フォーカシングライトなどに用いる構成であってもよい。
【符号の説明】
【００４０】
１００  ストロボ装置
１０２  放電管
１４０  フレネルレンズ
１４１  フレネル保護ガラス
１５５  ブロワーファン
１５６  流路
１６０  流路構成部材
１６１  ＬＥＤ素子
【図１】
2020187329.tif 000003
【図２】
2020187329.tif 000004
【図３】
2020187329.tif 000005
【図４】
2020187329.tif 000006
【図５】
2020187329.tif 000007
【図６】
2020187329.tif 000008